(57)【要約】      （修正有）【課題】太陽光を受けることが可能な場所であればどこにでも設置可能であり、しかも貯湯槽内の湯の排出の際に変圧のための装置を介在させる必要も無く、更には冬季の凍結の恐れもない太陽熱温水器を提供する。【解決手段】上部が開放されたケーシング２０内底部に断熱材４０を装備し、断熱材上に集熱管３０を敷設し、集熱管の一方端に水道と連結される注入口を設けると共に他方端に排出口３２を設け、ケーシングの上部開放面を透光材４１で覆蓋して構成した太陽熱温水器１０において、排出口から上方に延設され、続いて下方に延設されると共に端部が開放された管部材３３を設け、管部材の上方延設側下部に供給口３５を設けて構成した。また、集熱管の一部をヒーター３４で被覆して構成した。更に、ケーシング端縁に樋２１を設けると共に、樋の端部に貯水槽を連設して構成した。【選択図】図２
0003193325.tif 000002
【実用新案登録請求の範囲】
【請求項１】
上部が開放されたケーシング内底部に断熱材を装備し、該断熱材上に集熱管を敷設し、集熱管の一方端に水道と連結される注入口を設けると 共に他方端に排出口 を設け、ケーシングの上部開放面を透光材で覆蓋して構成した太陽熱温水器において、
排出口（３２）から上方に延設され、続いて下方に延設されると共に端部が開放された管部材（３３）を設けたこと、
当該管部材（３３）の上方延設側下部に供給口（３５）を設けたこと、を特徴とする太陽熱温水器。
【請求項２】
集熱管（３０）の一部にヒーター（３４）を被覆した請求項１に記載の太陽熱温水器。
【請求項３】
ケーシング（２０）の端縁に樋（２１）を設けると共に、樋（２１）の端部に貯水槽（２２）を連設した請求項１又は２に記載の太陽熱温水器。
【考案の詳細な説明】
【技術分野】
【０００１】
本考案は、太陽熱により温水を作り風呂や台所などに給湯する太陽熱温水器に関する。
【背景技術】
【０００２】
図４は従来の太陽温水器を示すものである。１は透光性ガラスで覆蓋されたケーシング内に集熱板を収納してなる集熱部であり、２は集熱部１に往き管と戻り管で接続された貯湯槽である。この往き管と戻り管を介して熱媒を循環させることによっ て貯湯槽２内に温水が蓄えられるものである。
【０００３】
かかる太陽熱温水器は、集熱部１と貯湯槽２をそれぞれ別個に形成して設置場所まで運 搬し、設置場所（家屋の屋根上等）で循環用配管を接続して連結金具で集熱部１と貯湯槽 ２を機械的に一体化するものである。
【０００４】
特許文献１には往き管や戻り管等の裏面にヒーターを介在させた太陽熱温水器が開示さ れている。
【０００５】
特許文献２には集熱部と貯湯槽とを、往き管や戻り管等を介さずに直接接続することで、耐久性を増した太陽熱温水器が開示されている。
【０００６】
特許文献３には断熱材を装備したケーシング内に水道と連結された集熱管を敷設した太陽熱温水器が開示されている。
【先行技術文献】
【特許文献】
【０００７】
【特許文献１】実公平４−４０１２９号公報
【特許文献２】特開２００２−４８４１８号公報
【特許文献３】登録実用新案第３１９１８１７号公報
【考案の概要】
【考案が解決しようとする課題】
【０００８】
上記従来の太陽熱温水器は、水の注入には上水道の圧力を用いているが、湯の排出には貯湯槽と蛇口との聞の高低差を利用するため、貯湯槽と浴槽との高低差が小さいほど排出時の水圧が低くなるという問題点がある。また、高低差がない位置には当然設置できないという難点がある。
【０００９】
また、水道圧を利用して貯湯槽内の湯を排出すると圧力が高すぎ、部材の損傷をきたす恐れがあり、圧力の調整のため変圧弁を介在させる必要が生じる。
【００１０】
更には、太陽熱温水器は冬季に管部内の水が凍結する恐れがある。
【００１１】
そこで、本考案はかかる問題点を解消することを目的とするものであり、具体的には太 陽光を受けることが可能な場所であればどこにでも設置可能であり、しかも貯湯槽内の湯 の排出の際に変圧のための装置を介在させる必要も無く、更には冬季の凍結の恐れもない太陽熱温水器を提供することを目的とする。
【課題を解決するための手段】
【００１２】
上記の目的を達成する本考案の構成は次の通りである。
【００１３】
（１）  請求項１に記載の考案は、上部が開放されたケーシング内底部に断熱材を装備 し、該断熱材上に集熱管を敷設し、集熱管の一方端に水道と連結される注入口を設けると 共に他方端に排出口を設け、ケーシングの上部開放面を透光材で覆蓋して構成した太陽熱温水器において、排出口から上方に延設され、続いて下方に延設されると共に端部が開放された管部材を設け、当該管部材の上方延設側下部に供給口を設けて構成した。
【００１４】
（２）  請求項２に記載の考案は、請求項１に記載の太陽熱温水器において、集熱管の一部をヒーターで被覆して構成した。
【００１５】
（３）  請求項３に記載の考案は、請求項１又は２に記載の太陽熱温水器において、ケーシング端縁に樋を設けると共に、樋の端部に貯水槽を連設して構成した。
【考案の効果】
【００１６】
上記のように構成される本考案が、如何に作用して課題を解決するかを図面を参照し ながら概説する。
【００１７】
本考案にかかる太陽熱温水器１０は、図１に示すようにケーシング２０内に集熱管３０を敷設し、当該集熱管３０の注入口３１より水道から給水して使用するものである。
【００１８】
他方で、湯の供給は排出口３２から上方に延設された管部材３３に設けた供給口３５より行うものであり、管部材３３内に滞留した湯の高低差による圧力を使用して供給するものである。かように水道圧を利用して貯湯槽内の湯を排出するものではないことから、予想外の高圧が付加されることが無く、部材の損傷が可及的に抑制され、また、圧力の調整のため変圧弁を介在させる必要も無いものである。
【００１９】
上記の通り本考案は、管部材３３内に滞留した湯の高低差による圧力を使用して供給するものであるから、従来例のように装置自体、つまりは貯湯槽を高所に設けることによる高低差を利用した圧力により温水を供給するものではなく、本考案は屋根の上等の高所に設置する必要がない。すなわち、太陽光を受けることが可能な場所であれば、どこにでも設置することが可能となるのであり、図３に示すように地面に架台７０を設け、当該架台７０上に太陽熱温水器１０を設置することも可能である。
【００２０】
かかる特性を利用すれば、例えばカーポートの上や屋外の物置の上などに設置可能とな る。物置の上に設置すれば、物置内の高温化を抑止できるという利点もある。かかる利用法の場合、雨天時にケーシングから雨水が地上に落下することになり、障害となることから請求項３に記載の考案においては、ケーシング２０の端縁に樋２１を設けてある。樋２１で雨を受け止め、地上に雨水が落下することを防止するものである。
【００２１】
また、樋２１の端は貯水槽２２と連設されており、雨水を貯水槽２２に貯め、有効利用が可能となるものである。
【００２２】
請求項２に記載の考案においては、図３に示すように集熱管３０の一部をヒーター３４で被覆して構成してある。これにより集熱管３０内の水が温められ、冬季でも凍結の恐れが無いものである。
【図面の簡単な説明】
【００２３】
【図１】一部破断正面図
【図２】Ａ−Ａ線断面図
【図３】架台上に設置した状態を示す説明図
【図４】従来例の説明図
【考案を実施するための形態】
【００２４】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２５】
図 １、図２に示されるように、本考案にかかる太陽熱温水器１０は、上面が開放された箱状のケーシング２０内に集熱管３０が敷設されるものである。
【００２６】
ケーシング２０は木製、樹脂製、金属製いずれでも構わないが、耐熱性や防水性、紫外線耐性に優れた素材を利用する必要がある。
【００２７】
集熱管３０は塩化ピニルのパイプや金属パイプなどを利用可能である。
【００２８】
集熱管３０内部の水を効率的に加熱するためには、集熱管３０の管径を小さくすること が好ましい。したがって、図示されるように蛇行させて敷設することでケーシング２０内 に敷設できる長さを確保しつつ、管径を小さくしても加熱可能な水の量の滞留が可能となるのである。
【００２９】
ケーシング２０の底面にはグラスウール等の断熱材４０が装備されている。これにより、ケーシング２０内の温度を高温に保つことが可能となり、集熱管３０内の水の加温に 資することが可能となる。
【００３０】
また、ケーシング２０の上部開放面は透光材４１で覆蓋してある。これにより、ケーシング２０内の温度を高温に保つことが可能となり、集熱管３０内の水の加温に資すること が可能となる。透光材４１は透明なビニルシートや透光性ガラスなどを利用可能である。
【００３１】
集熱管３０の注入 口３１と水道を繋ぐ連接管６０には自動給水タイマー５０が介在させてある。この自動給水タイマー５０は、電動開放弁とタイマー回路を組み合わせたもの等を利用可能である。
【００３２】
集熱管３０に設けた排出口３２には上方に延設され、続いて下方に延設されると共に端部が開放された管部材３３が連設されている。管部材３３の上方延設側下部には供給口３５が設けてあり、温水利用設備等に対して温水が供給されるものである。端部が開放されているのは圧力調整のためである。
【００３３】
ヒーター３４としては配管凍結防止電熱ヒーターなどを利用可能であり、具体的にはシリコーンゴム等のシート状可撓性樹脂からなる絶縁材で発熱素子を挟持したものなどが利用可能である。また、ヒーター３４にはサーモスタットを装備せしめ、集熱管３０内の水が一定温度以下になれば、あるいは外気温が一定温度以下になればヒーターが作動するようにすれば、より使い勝手に富むものとなる。
【符号の説明】
【００３４】
１０・・太陽熱温水器
２０・・ケーシング    ２１・・樋      ２２・・貯水槽
３０・・集熱管    ３１・・注入口    ３２・・排出口
３３・・管部材    ３４・・ヒーター      ３５・・供給口
４０・・断熱材    ４１・・透光材    ４２・・波板
５０・・自動給水タ イ マ    ５１・・変圧弁
６０・・連接管      ６１・・供給管      ７０・・架台
【図１】
0003193325.tif 000003
【図２】
0003193325.tif 000004
【図３】
0003193325.tif 000005
【図４】
0003193325.tif 000006